(57)【要約】      （修正有）【課題】簡単・快速・正確にゴルフのフェース面とクラブヘッドを緊密的に一体に接合し、接合面での接合切れ目の発生を防止し、接合強度を高める。【解決手段】１つのフェース面２１０と１つの本体２２０とを備え、フェース面２１０は少なくとも１つの係合スロット２１２を環設した１つの環状係合部２１１を有する一方、本体２２０は少なくとも１つの環状階段ブロック２２２と少なくとも１つの環状当接ブロック２２３を含む１つのクリップスロット部２２１を有し、環状係合部２１１を収容する１つの収容スロット２２５を形成し、そしてクリップスロット部２２１の頂上に少なくとも１つのフランジ２２４が設置され、収容スロット２２５と環状係合部２１１を合わせるとき、フェース面２１０に対して本体２２０へ圧着するように圧力を加える。【選択図】図２Ａ
0003136532.tif 000002
【実用新案登録請求の範囲】
【請求項１】
独立な二つの組立体を１つのクラブヘッドに組み立てることに適用するゴルフのクラブヘッドの接合構造であって、
少なくとも１つの係合スロットを環設した環状係合部を有する１つのフェース面と、
少なくとも１つの環状階段ブロックと少なくとも１つの環状当接ブロックを含み、当該環状階段ブロックと当該環状当接ブロックが当該環状係合部を収容する１つの収容スロットを形成し、そして頂上に少なくとも１つのフランジが設置されるクリップスロット部を有する１つの本体とを備え、
組み立てる時、当該環状係合部を当該収容スロットに合わせてから、当該フェース面に対して当該本体へ圧着するように圧力を加えることで、当該フランジは当該フェース面に当接し、当該係合スロットの方向へ１つの嵌合部に変形するように圧着されることにより、当該係合スロット内に嵌合される一方、当該環状階段ブロックは、当該収容スロットに収容される時当該環状係合部が当該収容スロットと互いに接合するように、当該環状係合部と互いに当接することを特徴とするゴルフのクラブヘッドの接合構造。
【請求項２】
当該フランジが当該環状当接ブロックの当該フェース面に向かう端面に設置されることを特徴とする請求項１に記載のゴルフのクラブヘッドの接合構造。
【請求項３】
当該環状階段ブロックの設置位置が当該環状係合部の外側に対応し、当該環状当接ブロックの設置位置が当該環状係合部の内側に対応し、当該係合スロットが当該環状係合部の内側に設置されることを特徴とする請求項２に記載のゴルフのクラブヘッドの接合構造。
【請求項４】
当該環状階段ブロックの設置位置が当該環状係合部の内側に対応し、当該環状当接ブロックの設置位置が当該環状係合部の外側に対応し、当該係合スロットが当該環状係合部の内側に設置されることを特徴とする請求項２に記載のゴルフのクラブヘッドの接合構造。
【請求項５】
当該フランジが同時に当該環状階段ブロックと当該環状当接ブロックの当該フェース面に向かう端面に設置され、当該係合スロットが当該フランジの位置に合わせ、同時に当該環状係合部の内側と外側に設置されることを特徴とする請求項１に記載のゴルフのクラブヘッドの接合構造。
【請求項６】
当該係合スロットの開口が当該環状当接ブロックに向かい、当該係合スロットの横断面が穴径の狭い台形の形状を有し、当該フランジは当該環状当接ブロックの当該フェース面に向かう端面に設置されることを特徴とする請求項１に記載のゴルフのクラブヘッドの接合構造。
【請求項７】
当該フランジが等長か不等長の間隔で当該クリップスロット部に環設されることを特徴とする請求項１に記載のゴルフのクラブヘッドの接合構造。
【請求項８】
当該係合スロットが等長か不等長の間隔で当該環状係合部に環設されることを特徴とする請求項７に記載のゴルフのクラブヘッドの接合構造。
【請求項９】
当該フランジが連続して当該クリップスロット部に環設されることを特徴とする請求項１に記載のゴルフのクラブヘッドの接合構造。
【請求項１０】
当該係合スロットが連続して当該環状係合部に環設されることを特徴とする請求項９に記載のゴルフのクラブヘッドの接合構造。
【請求項１１】
当該係合スロットが斜めＶ形状の横断面形状を有するグルーブであることを特徴とする請求項１に記載のゴルフのクラブヘッドの接合構造。
【請求項１２】
当該係合スロットが長方形の横断面形状を有するグルーブであることを特徴とする請求項１に記載のゴルフのクラブヘッドの接合構造。
【請求項１３】
当該係合スロットが弧形の横断面形状を有するグルーブであることを特徴とする請求項１に記載のゴルフのクラブヘッドの接合構造。
【請求項１４】
当該係合スロットが正Ｖ形状の横断面形状を有するグルーブであることを特徴とする請求項１に記載のゴルフのクラブヘッドの接合構造。
【請求項１５】
当該係合スロットが台形の横断面形状を有するグルーブであることを特徴とする請求項１に記載のゴルフのクラブヘッドの接合構造。
【請求項１６】
独立な二つの組立体を１つのクラブヘッドに組み立てることに適用するゴルフのクラブヘッドの接合構造であって、
少なくとも１つの係合スロットを環設した１つの環状係合部を有する１つのフェース面と、
頂上に少なくとも１つのフランジが設置される１つの環状当接ブロックを有する１つの本体とを備え、
組み立てる時、当該環状当接ブロックを当該係合スロットに合わせてから、当該フェース面に対して当該本体へ圧着するように圧力を加えることで、当該フランジは当該フェース面に当接し、当該係合スロットの方向へ１つの嵌合部に変形するように圧着されることにより、当該係合スロット内に嵌合されることを特徴とするゴルフのクラブヘッドの接合構造。
【請求項１７】
当該環状係合部が更に、当該係合スロットを限定するための１つの突起バーを備えることを特徴とする請求項１６に記載のゴルフのクラブヘッドの接合構造。
【請求項１８】
当該環状当接ブロックの設置位置が当該環状係合部の内側に対応し、当該係合スロットが当該環状係合部の内側に設置され、当該フランジが当該環状当接ブロックの外側に設置されることを特徴とする請求項１６に記載のゴルフのクラブヘッドの接合構造。
【請求項１９】
当該環状当接ブロックの設置位置が当該環状係合部の外側に対応し、当該係合スロットが当該環状係合部の外側に設置され、当該フランジが当該環状当接ブロックの内側に設置されることを特徴とする請求項１６に記載のゴルフのクラブヘッドの接合構造。
【請求項２０】
当該環状係合部の一側に係合スロットが設置され、もう一側が階段状の横断面形状を有することを特徴とする請求項１６に記載のゴルフのクラブヘッドの接合構造。
【請求項２１】
当該フェース面が更に、設置位置が当該環状係合部の外側に対応する環状嵌合バーを少なくとも１つを有することを特徴とする請求項１６に記載のゴルフのクラブヘッドの接合構造。
【請求項２２】
当該フェース面が更に、設置位置が当該環状係合部の内側に対応する環状嵌合バーを少なくとも１つを有することを特徴とする請求項１６に記載のゴルフのクラブヘッドの接合構造。
【請求項２３】
当該係合スロットが斜めＶ形状の横断面形状を有するグルーブであることを特徴とする請求項１６に記載のゴルフのクラブヘッドの接合構造。
【請求項２４】
当該係合スロットが長方形の横断面形状を有するグルーブであることを特徴とする請求項１６に記載のゴルフのクラブヘッドの接合構造。
【請求項２５】
当該係合スロットが弧形の横断面形状を有するグルーブであることを特徴とする請求項１６に記載のゴルフのクラブヘッドの接合構造。
【請求項２６】
当該係合スロットが正Ｖ形状の横断面形状を有するグルーブであることを特徴とする請求項１６に記載のゴルフのクラブヘッドの接合構造。
【請求項２７】
当該係合スロットが台形の横断面形状を有するグルーブであることを特徴とする請求項１６に記載のゴルフのクラブヘッドの接合構造。
【請求項２８】
当該環状嵌合バーは、当該環状嵌合バーの外側から徐々に当該環状嵌合バーの内側に傾斜する傾斜部を備えることを特徴とする請求項２１に記載のゴルフのクラブヘッドの接合構造。
【請求項２９】
当該環状嵌合バーは、その外側に設置される加圧ブロックを有する階段底部を備えることを特徴とする請求項２１に記載のゴルフのクラブヘッドの接合構造。
【考案の詳細な説明】
【技術分野】
【０００１】
本考案はゴルフのクラブヘッドの接合構造に関わり、特にフェース面とヘッド本体とが１つのクラブヘッドに接合されるように、フランジとグルーブとの相互の圧着・変形による緊密的な嵌合関係を形成し、階段ブロックで接合面の切れ目を密封するゴルフのクラブヘッドの接合構造に関わるものである。
【背景技術】
【０００２】
従来のゴルフのクラブヘッドは、ヘッド本体とフェース面との接合作業をよくチタンの圧着技術により行い、ヘッド本体とフェース面の対応する端面にそれぞれ対応する少なくとも１つのフランジと少なくとも１つのグルーブを設置し、フランジとグルーブの相互の圧着による変形作用でクラブヘッドとフェース面との緊密的な協同関係を実現して一体になる。ところが、当該方法は、フランジとグルーブの形状及び位置の設計が不具合の場合、圧着加工時フランジとフェース面の両方とも歪められる一方、フェース面が１つの平面に限られ、軽量化かカウンターウェイト効果も限られ、弾性効果が落とされ、有効的な打つ面も小さくなるから、側方向の係合構造方式によりヘッド本体とフェース面を接合するメーカーもある。
【０００３】
側方向の係合構造方式によりヘッド本体とフェース面を接合する構成図である図１を参照すると、打撃フェース面１１０とヘッド本体１２０が備えられ、打撃フェース面１１０はコップ状の形状で、内側の開口部の近くに少なくとも１つの嵌合フランジ１１１が環設される一方、ヘッド本体１２０は当該打撃フェース面１１０に向かう端面に嵌合部が設置され、嵌合部の嵌合フランジ１１１に対応する箇所に少なくとも１つの環状グルーブ１２１が開設され、嵌合フランジ１１１と環状グルーブ１２１をお互いに合わせた後、嵌合フランジ１１１を環状グルーブ１２１に嵌合させるように打撃フェース面１１０に圧力を加えることで、打撃フェース面１１０を側方向の係合構造方式でヘッド本体１２０と相互接合し、１つのクラブヘッドにさせるのである。
【０００４】
しかし、当該方式は、嵌合フランジと環状グルーブとの形状設計の不具合、対応位置の設計のミス、フェース面に対する圧力の不均一、或いは製作材自体の高耐圧力などにより、フェース面とヘッド本体との緊密嵌合不可が起きやすく、接合面に接合切れ目が現れ、フェース面とヘッド本体との接合強度が落とされ、更に外力でフェース面がヘッド本体から外れてしまう、という回避できない問題もある。
【考案の開示】
【考案が解決しようとする課題】
【０００５】
本考案はこのような課題に鑑み、簡単・快速・正確にフェース面とクラブヘッド本体を緊密的に一体に接合し、フェース面の有効的な打つ面の範囲を効果的に制御し、軽量化かカウンターウェイトのブロックの作業プロセスを簡易に行い、フェース面とヘッド本体との接合面での接合切れ目の発生を防止し、更にフェース面とクラブヘッドとの接合強度を高めることができるゴルフのクラブヘッドの接合構造を提供するものである。
【課題を解決するための手段】
【０００６】
本考案は独立な二つの組立体を１つのクラブヘッドに組み立てることに適用するゴルフのクラブヘッドの接合構造に関るものであり、その接合構造として、１つのフェース面と１つの本体とを備え、そのフェース面は囲むような方式で少なくとも１つの係合スロットを開設した１つの環状係合部を有する一方、本体は少なくとも１つの環状階段ブロックと少なくとも１つの環状当接ブロックからなるクリップスロット部を有し、環状階段ブロックが環状当接ブロックと環状係合部を収容する収容スロットを形成し、クリップスロット部の頂上に更に少なくとも１つのフランジが設置され、組み立てる時は、環状係合部と収容スロットを互いに合わせてから、フェース面に対して本体へ圧着するように圧力を加えることで、フランジはフェース面に当接し、係合スロットの方向へ嵌合部に変形するように圧着されることにより、係合スロット内に嵌合される一方、環状階段ブロックは、環状係合部が正確に収容スロットに収容され、収容スロットと合わせられることを補助するために、環状係合部に当接するのである。
【０００７】
また、フランジが環状当接ブロックのフェース面に向かう端面に設置された場合、環状当接ブロックの設置位置が環状係合部の内側に対応すれば、係合スロットはフランジ位置に合わせ、環状係合部の内側に設置され、環状階段ブロックは環状係合部の外側に設置される一方、環状当接ブロックの設置位置が環状係合部の外側に対応すれば、係合スロットはフランジ位置に合わせ、環状係合部の外側に設置され、環状階段ブロックは環状係合部の内側に設置される。そして、フランジが同時に環状階段ブロックと環状当接ブロックのフェース面に向かう端面に設置された場合、係合スロットは同時に環状係合部の内側と外側に設置される。また、係合スロットの横断面は開口が環状当接ブロックに向かう、穴径の狭い台形で、フランジは環状当接ブロックのフェース面に向かう端面に設置される。また、フランジは連続方式または等長か不等長の間隔方式によりクリップスロット部に環設することができるが、係合スロットはフランジに合わせ、連続方式または等長か不等長の間隔方式により環状係合部に環設される。また、係合スロットは横断面の形状が長方形か弧形か正Ｖ形状か台形のグルーブで、クラブヘッドは鉄製型か木製型かパター型のヘッドである。
【考案の効果】
【０００８】
本考案によると、有効的な打つ面を増大するよう、フェース面を含め、自由な設計が行える上、ヘッド本体の外側まで延長することもできる。そして、カウンターウェイト作業の便宜上、フェース面はチタン合金の利用により軽量化をすることができる。また、フェース面とヘッド本体を接合し、塑性化フランジをグルーブに押し入れ、フェース面の平面矯正を行うだけで、効率が向上でき、複雑な作業プロセスは必要ない。また、環状階段ブロックと環状係合部との相互当接により、フェース面と本体との緊密的な接合ができ、接合面での接合切れ目の発生を防止することができる。
【考案を実施するための最良の形態】
【０００９】
本考案の目的、構造特徴及びその機能をより明確にするために、実施例及び図面を参照しながら以下のように詳細説明する。
【００１０】
本考案の第一実施例の構成図、加圧図及び接合図である図２Ａ乃至図２Ｃを参照すると、フェース面２１０と本体２２０が接合され、そのフェース面２１０は囲むような方式で横断面形状が長方形の係合スロット２１２を内側に設置した環状係合部２１１を有する一方、本体２２０は環状階段ブロック２２２と環状当接ブロック２２３からなるクリップスロット部２２１を有し、そして、環状階段ブロック２２２と環状当接ブロック２２３との間に、開口が環状係合部２１１に対応する収容スロット２２５が形成され、環状当接ブロック２２３のフェース面２１０に向かう端面に、フランジ２２４が設置されるのである。
【００１１】
環状係合部２１１と収容スロット２２５を互いに合わせてから、フェース面２１０に対して本体２２０へ圧着するように圧力を加えると、その環状係合部２１１が正確に収容スロット２２５に収容される。当該実施例で言う場合は、環状階段ブロック２２２の設置位置が環状係合部２１１の外側に対応し、環状当接ブロック２２３の設置位置が環状係合部２１１の内側に対応し、そして、フランジ２２４はフェース面２１０に当接すること及び、フェース面２１０と本体２２０が継続的に相互圧着することから、少しずつ係合スロット２１２の方向へ嵌合部２２７となるように変形することにより、係合スロット２１２内に嵌合される一方、環状階段ブロック２２２は、フェース面２１０と本体２２０との相互圧着時の発生した過強反力で環状係合部２１１が変形することを防ぎ、フェース面２１０と本体２２０との接合面での接合切れ目の発生を防止するよう環状係合部２１１が収容スロット２２５の内側と緊密的に合わせられるように、環状係合部２１１の外側に当接するのである。また、フェース面と本体との接合面の外側部にできている、相互圧着による小幅な凸塊か金属バリに対しては、研磨などの表面処理作業で仕上げることができる。
【００１２】
本考案の第二実施例の構成図と接合図である図３Ａと図３Ｂを参照する。その中、圧着時フランジが確実に係合スロットの方向へ変形できるように、角度ガイドのあるような形状に設計することができる。例えば台形フランジ２２６の形状のように、フェース面２１０と本体２２０が相互圧着する時、台形フランジ２２６が先にフェース面２１０に当接し圧着力を受ける一方、台形フランジ２２６の斜面が当該圧着力をその後受けるため、台形フランジ２２６は、係合スロット２１２に嵌合されるように、係合スロット２１２方向へ嵌合部２２７となるように変形することしかできないのである。
【００１３】
本考案の第三実施例の構成図と接合図である図４Ａと図４Ｂを参照する。その中、係合スロットは横断面が台形のように設計できる台形係合スロット２１３であることから、台形フランジ２２６が圧着力を受け変形する時、係合フックのような形状の嵌合部２２７を形成することにより、フェース面２１０と本体２２０との間の嵌合効果を高めることができる。また場合によって、係合スロットを、横断面が斜めＶ形状か弧形かＶ形状などの形状のグルーブのように設計しても良い。
【００１４】
本考案の第四実施例の構成図と接合図である図５Ａと図５Ｂを参照する。それは、台形フランジ２２６を環状当接ブロック２２３のフェース面２１０に向かう端面に設置するものであり、当該実施例においては、環状当接ブロック２２３の設置位置が環状係合部２１１の外側に対応し、環状階段ブロック２２２の設置位置が環状係合部２１１の内側に対応するので、係合スロット２１２は環状係合部２１１の外側に開設されるものである。組み立てる時、台形フランジ２２６はフェース面２１０に当接することで、係合スロット２１２方向へ嵌合部２２７となるように変形することにより、係合スロット２１２に嵌合されるが、この場合、環状当接ブロック２２３には圧着により小幅な凸塊か金属バリの発生があるかもしれないが、同じように研磨などの表面処理作業で仕上げることができ、また、環状係合部２１１は、接合面での切れ目の発生を防ぐように環状階段ブロック２２２と互いに当接するのである。
【００１５】
本考案の第五実施例の構成図と接合図である図６Ａと図６Ｂを参照する。その中、フェース面２１０に設置される環状係合部２１１の内側と外側にそれぞれ係合スロット２１２が設置される一方、本体２２０に設置されるクリップスロット部２２１は、その環状階段ブロック２２２と環状当接ブロック２２３のフェース面２１０に向かう端面にそれぞれフランジ２２４が設置されるので、フェース面２１０と本体２２０を組み立てる時、フランジ２２４は同時に嵌合部２２７となるように変形することにより、係合スロット２１２に嵌合される。当該実施例は、嵌合部２２７と係合スロット２１２との多重嵌合により、フェース面２１０と本体２２０との接合強度を高めるのである。
【００１６】
本考案の第六実施例の構成図と流れ図である図７Ａ乃至図７Ｄを参照する。その中、フェース面２１０は、開口が小さく、且つ開口方向が本体２２０に向かい、横断面の形状が台形である突合せ係合スロット２３１を備える突合せ係合部２３０を有する一方、本体２２０は、外側環状階段ブロック２４１と内側環状階段ブロック２４２と中央環状当接ブロック２４３とを備える突合せクリップスロット部２４０を有し、中央環状当接ブロック２４３が外側環状階段ブロック２４１と内側環状階段ブロック２４２とそれぞれ突合せ収容スロット２４４を形成する。
【００１７】
組み立てる時、突合せ係合スロット２３１は、中央環状当接ブロック２４３に合わせながら中央環状当接ブロック２４３をその中に収容し、そして中央環状当接ブロック２４３とフェース面２１０との当接・圧着により、中央環状当接ブロック２４３を圧着からの力で変形させ、突合せ係合スロット２３１に嵌合される一方、突合せ収容スロット２４４は、突合せ係合部２３０の突起部分を収容するものであり、外側環状階段ブロック２４１と内側環状階段ブロック２４２により突合せ係合部２３０の外側に当接することにより、フェース面２１０と本体２２０との接合面での接合切れ目の発生を防止するのである。
【００１８】
フェース面２１０と本体２２０との接合を示す、本考案の第七実施例の構成図と接合図である図８Ａと図８Ｂを参照すると、当該実施例は、上記第一実施例乃至第六実施例のような収容スロット２２５を備えないものである。フェース面２１０は、係合スロット２１２を限定するための突起バー２１４と、環状係合部２１１の外側に設置され、横断面の形状が長方形である係合スロット２１２とを備える環状係合部２１１を有する。本体２２０は、頂上にフランジ２２４が設置される環状当接ブロック２２３を有する。
【００１９】
組み立てる時、環状当接ブロック２２３を当該係合スロット２１２に合わせてから、フェース面２１０に対して本体２２０へ圧着するように圧力を加える。当該実施例で言う場合は、環状当接ブロック２２３が環状係合部２１１に対応する外側に設置され、係合スロット２１２が環状係合部２１１の外側に設置され、フランジ２２４が環状当接ブロック２２３の内側に設置されるが、フランジ２２４はフェース面２１０に当接すること及び、フェース面２１０と本体２２０が継続的に相互圧着することから、少しずつ係合スロット２１２の方向へ嵌合部２２７となるように変形することにより、係合スロット２１２に嵌合されて、フェース面２１０と本体２２０を緊密的に接合させるのである。
【００２０】
本考案の第八実施例の構成図と接合図である図９Ａと図９Ｂを参照する。本実施例は、収容スロット２２５を備えないことが実施例七と似ている構造であるが、本実施例のフェース面２１０が更に、環状係合部２１１の外側に設置され、突起バー２１４との距離が環状当接ブロック２２３を十分収容できる環状嵌合バー２１５を有する。また、当該環状係合部２１１は、外側に係合スロット２１２が設置され、内側が階段状の横断面形状を有する。
【００２１】
組み立てる時、環状当接ブロック２２３を環状嵌合バー２１５から突起バー２１４までの該当位置に合わせてから、フェース面２１０に対して本体２２０へ圧着するように圧力を加えると、フランジ２２４はフェース面２１０に当接し、係合スロット２１２の方向へ嵌合部２２７となるように変形することにより、係合スロット２１２に嵌合されるのである。一方、環状嵌合バー２１５は環状当接ブロック２２３の外側に当接することにより、環状当接ブロック２２３を当該環状嵌合バー２１５と環状係合部２１１との間に収容し、フェース面２１０と本体２２０を緊密的に接合させる。
【００２２】
本考案の第九実施例の構成図と接合図である図１０Ａと図１０Ｂを参照する。本実施例は、収容スロット２２５を備えないことが実施例七と似ている構造である。但し、本実施例では、環状係合部２１１が当該フェース面２１０の周辺に設置され、環状当接ブロック２２３が環状係合部２１１に対応する内側に設置され、係合スロット２１２が環状係合部２１１の内側に設置され、フランジ２２４が環状当接ブロック２２３の外側に設置される。
【００２３】
組み立てる時、環状当接ブロック２２３を係合スロット２１２に合わせてから、フェース面２１０に対して本体２２０へ圧着するように圧力を加えると、フランジ２２４はフェース面２１０に当接すること及び、フェース面２１０と本体２２０が継続的に相互圧着することから、少しずつ係合スロット２１２の方向へ嵌合部２２７となるように変形することにより、係合スロット２１２に嵌合されて、フェース面２１０と本体２２０を緊密的に接合させるのである。
【００２４】
本考案の第十実施例の構成図と接合図である図１１Ａと図１１Ｂを参照する。本実施例は第八実施例の構成と類似しているが、本実施例の当該環状嵌合バー２１５は、当該環状嵌合バー２１５の外側から徐々に当該環状嵌合バー２１５の内側に傾斜し、当該環状嵌合バー２１５の外側の厚さが当該環状嵌合バー２１５の内側の厚さより大きく形成された傾斜部２１６を備える。当該傾斜部２１６は、当該本体２２０に対応する１つの平面である１つの受入面２２８である。
【００２５】
組み立てる時、当該傾斜部２１６の外側が先に本体２２０の受入面２２８の外側に到着し、そして加圧することにより、本体２２０の当該受入面２２８を圧力で変形させ、当該環状嵌合バー２１５の傾斜部２１６を当該本体２２０の受入面２２８と緊密的に接合させるのである。
【００２６】
本考案の第十一実施例の構成図と接合図である図１２Ａと図１２Ｂを参照する。本実施例は第十実施例の構成と類似しているが、本実施例の当該環状嵌合バー２１５は加圧ブロック２１８を有する階段底部２１７を備え、当該加圧ブロック２１８は環状嵌合バー２１５の階段底部２１７の外側に設置される。当該階段底部２１７は、当該本体２２０に対応する１つの平面である１つの受入面２２８である。
【００２７】
組み立てる時、当該加圧ブロック２１８が先に本体２２０の受入面２２８の外側に到着し、そして加圧することにより、本体２２０の当該受入面２２８を圧力で変形させながら、当該階段底部２１７もそれに応じて変形し、当該環状嵌合バー２１５の階段底部２１７を当該本体２２０の受入面２２８と緊密的に接合させるのである。
【００２８】
当該フェース面２１０は更に、当該環状係合部に対応する内側に設置される環状嵌合バーを備えても良い。また、上記の実施例での長方形のほか、係合スロット２１２の横断面形状は台形か弧形か正Ｖ形状か斜めＶ形状であっても良い。
【００２９】
本考案は上記のように好ましい実施例を掲載したが、それに限定されるものではなく、当該技術に詳しい方が本考案の原則と範囲を逸脱しない範囲で種々の変更と潤色を行うことが可能なので、本考案の保護範囲は添付の請求項を基準とするものである。
【図面の簡単な説明】
【００３０】
【図１】従来技術の構成図である。
【図２Ａ】本考案の第一実施例の構成図である。
【図２Ｂ】本考案の第一実施例の加圧図である。
【図２Ｃ】本考案の第一実施例の接合図である。
【図３Ａ】本考案の第二実施例の構成図である。
【図３Ｂ】本考案の第二実施例の接合図である。
【図４Ａ】本考案の第三実施例の構成図である。
【図４Ｂ】本考案の第三実施例の接合図である。
【図５Ａ】本考案の第四実施例の構成図である。
【図５Ｂ】本考案の第四実施例の接合図である。
【図６Ａ】本考案の第五実施例の構成図である。
【図６Ｂ】本考案の第五実施例の接合図である。
【図７Ａ】本考案の第六実施例の接合の構成図である。
【図７Ｂ】本考案の第六実施例の当接の加圧図である。
【図７Ｃ】本考案の第六実施例の当接の詳細図である。
【図７Ｄ】本考案の第六実施例の接合の接合図である。
【図８Ａ】本考案の第七実施例の構成図である。
【図８Ｂ】本考案の第七実施例の接合図である。
【図９Ａ】本考案の第八実施例の構成図である。
【図９Ｂ】本考案の第八実施例の接合図である。
【図１０Ａ】本考案の第九実施例の構成図である。
【図１０Ｂ】本考案の第九実施例の接合図である。
【図１１Ａ】本考案の第十実施例の構成図である。
【図１１Ｂ】本考案の第十実施例の接合図である。
【図１２Ａ】本考案の第十一実施例の構成図である。
【図１２Ｂ】本考案の第十一実施例の接合図である。
【符号の説明】
【００３１】
１１０  打撃フェース面
１１１  嵌合フランジ
１２０  ヘッド本体
１２１  環状グルーブ
２１０  フェース面
２１１  環状係合部
２１２  係合スロット
２１３  台形係合スロット
２１４  突起バー
２１５  環状嵌合バー
２１６  傾斜部
２１７  階段底部
２１８  加圧ブロック
２２０  本体
２２１  クリップスロット部
２２２  環状階段ブロック
２２３  環状当接ブロック
２２４  フランジ
２２５  収容スロット
２２６  台形フランジ
２２７  嵌合部
２２８  受入面
２３０  突合せ係合部
２３１  突合せ係合スロット
２４０  突合せクリップスロット部
２４１  外側環状階段ブロック
２４２  内側環状階段ブロック
２４３  中央環状当接ブロック
２４４  突合せ収容スロット
【図１】
0003136532.tif 000003
【図２Ａ】
0003136532.tif 000004
【図２Ｂ】
0003136532.tif 000005
【図２Ｃ】
0003136532.tif 000006
【図３Ａ】
0003136532.tif 000007
【図３Ｂ】
0003136532.tif 000008
【図４Ａ】
0003136532.tif 000009
【図４Ｂ】
0003136532.tif 000010
【図５Ａ】
0003136532.tif 000011
【図５Ｂ】
0003136532.tif 000012
【図６Ａ】
0003136532.tif 000013
【図６Ｂ】
0003136532.tif 000014
【図７Ａ】
0003136532.tif 000015
【図７Ｂ】
0003136532.tif 000016
【図７Ｃ】
0003136532.tif 000017
【図７Ｄ】
0003136532.tif 000018
【図８Ａ】
0003136532.tif 000019
【図８Ｂ】
0003136532.tif 000020
【図９Ａ】
0003136532.tif 000021
【図９Ｂ】
0003136532.tif 000022
【図１０Ａ】
0003136532.tif 000023
【図１０Ｂ】
0003136532.tif 000024
【図１１Ａ】
0003136532.tif 000025
【図１１Ｂ】
0003136532.tif 000026
【図１２Ａ】
0003136532.tif 000027
【図１２Ｂ】
0003136532.tif 000028